(57)【要約】【課題】取り出す粒状物の量を一定量ずつ段階的に増減する。【解決手段】装着キャップ１１に、一定量の粒状物Ｗが配置される定量ポケット１５ａが、周方向に沿って複数配設され、蓋体１２に、複数の定量ポケットの取出し通過口１６を一体に開放可能な取出し口２５が形成され、蓋体の頂壁部に、装着キャップの内側に向けて突出した被覆壁２６が形成され、取出し口が複数の取出し通過口から周方向に離間し、蓋体が複数の取出し通過口を閉塞した状態で、被覆壁が複数の進入通過口１７から周方向に離間し、複数の進入通過口が開放され、複数の取出し通過口が取出し口を通して外部に開放された状態で、被覆壁が複数の進入通過口を覆い、蓋体を装着キャップに対してキャップ軸回りに回転させる過程において、取出し口を通した取出し通過口の開放と、被覆壁による進入通過口の被覆と、が１つの定量ポケットに対して同時に行われる。【選択図】図１
2020070059.tif 000002
【特許請求の範囲】
【請求項１】
粒状物が収容された容器本体の口部に装着される装着キャップと、
前記装着キャップにキャップ軸回りに回転可能に外装された有頂筒状の蓋体と、を備え、
前記装着キャップに、一定量の粒状物が配置される定量ポケットが、周方向に沿って複数配設され、
前記定量ポケットは、
前記蓋体の内面に向けて開口する取出し通過口と、
前記装着キャップの内側に向けて開口する進入通過口と、を備え、
前記蓋体に、複数の前記定量ポケットの前記取出し通過口を一体に開放可能な取出し口が形成され、
前記蓋体の頂壁部に、前記装着キャップの内側に向けて突出した被覆壁が形成され、
前記取出し口が、複数の前記取出し通過口から周方向に離間して、前記蓋体が、複数の前記取出し通過口を閉塞した状態で、前記被覆壁が、複数の前記進入通過口から周方向に離間して、複数の前記進入通過口が開放され、
複数の前記取出し通過口が、前記取出し口を通して外部に開放された状態で、前記被覆壁が、複数の前記進入通過口を覆い、
前記蓋体を前記装着キャップに対してキャップ軸回りに回転させる過程において、前記取出し口を通した前記取出し通過口の開放と、前記被覆壁による前記進入通過口の被覆と、が１つの前記定量ポケットに対して同時に行われる、粒状物用計量キャップ。
【請求項２】
前記取出し通過口、および前記進入通過口は、径方向に開口し、
前記定量ポケットは、
底壁部と、
前記底壁部における径方向の外端部から上方に向けて突出した外壁部と、
前記底壁部における径方向の内端部から上方に向けて突出した内壁部と、
前記底壁部における周方向の両端部から上方に向けて突出した一対の側壁部と、により画成され、
前記外壁部の上端縁は、前記取出し通過口の内周面の下端部を構成し、
前記内壁部の上端縁は、前記進入通過口の内周面の下端部を構成し、
前記外壁部の上端縁は、前記内壁部の上端縁より上方に位置している、請求項１に記載の粒状物用計量キャップ。
【請求項３】
前記蓋体の内面には、前記取出し通過口が前記取出し口を通して外部に開放され、かつ前記進入通過口が前記被覆壁により覆われた前記定量ポケットが、前記蓋体の前記装着キャップに対するキャップ軸回りの回転移動の過程で増減する毎に、前記装着キャップに形成された係止部に対して、周方向に乗り越え可能に係止される被係止部が形成されている、請求項１または２に記載の粒状物用計量キャップ。
【発明の詳細な説明】
【技術分野】
【０００１】
本発明は、粒状物用計量キャップに関する。
【背景技術】
【０００２】
従来から、例えば下記特許文献１に示されるような、容器本体内に収容された粒状物を一定量ずつ取り出すことができる構成が知られている。
【先行技術文献】
【特許文献】
【０００３】
【特許文献１】特許第６２３３８４１号公報
【発明の概要】
【発明が解決しようとする課題】
【０００４】
しかしながら、従来では、取り出す粒状物の量を一定量ずつ段階的に増減することができず、例えば、取り出す粒状物の量を段階的に一定量ずつ増やす場合、取り出す操作を複数回行う必要があり、手間がかかるという問題がある。
【０００５】
本発明は、このような事情に鑑みてなされたものであって、その目的は、取り出す粒状物の量を一定量ずつ段階的に増減することができる粒状物用計量キャップを提供することである。
【課題を解決するための手段】
【０００６】
前記課題を解決するために、本発明は以下の手段を提案している。
本発明に係る粒状物用計量キャップは、粒状物が収容された容器本体の口部に装着される装着キャップと、前記装着キャップにキャップ軸回りに回転可能に外装された有頂筒状の蓋体と、を備え、前記装着キャップに、一定量の粒状物が配置される定量ポケットが、周方向に沿って複数配設され、前記定量ポケットは、前記蓋体の内面に向けて開口する取出し通過口と、前記装着キャップの内側に向けて開口する進入通過口と、を備え、前記蓋体に、複数の前記定量ポケットの前記取出し通過口を一体に開放可能な取出し口が形成され、前記蓋体の頂壁部に、前記装着キャップの内側に向けて突出した被覆壁が形成され、前記取出し口が、複数の前記取出し通過口から周方向に離間して、前記蓋体が、複数の前記取出し通過口を閉塞した状態で、前記被覆壁が、複数の前記進入通過口から周方向に離間して、複数の前記進入通過口が開放され、複数の前記取出し通過口が、前記取出し口を通して外部に開放された状態で、前記被覆壁が、複数の前記進入通過口を覆い、前記蓋体を前記装着キャップに対してキャップ軸回りに回転させる過程において、前記取出し口を通した前記取出し通過口の開放と、前記被覆壁による前記進入通過口の被覆と、が１つの前記定量ポケットに対して同時に行われる。
【０００７】
この発明によれば、蓋体の取出し口が、装着キャップにおける複数の取出し通過口から周方向に離間して、蓋体が、複数の取出し通過口を閉塞した状態で、蓋体の被覆壁が、装着キャップにおける複数の進入通過口から周方向に離間して、複数の進入通過口が開放されるので、定量ポケットを外部に対して閉塞した状態で、進入通過口が装着キャップの内側に向けて開放されることとなる。この状態で、容器本体の口部を下方に向けると、容器本体内の粒状物が、取出し口から零れ落ちることなく、進入通過口から定量ポケットに進入する。
次に、蓋体を装着キャップに対してキャップ軸回りに回転させ、複数の取出し通過口を、取出し口を通して外部に開放したときに、被覆壁が、複数の進入通過口を覆うので、定量ポケットを外部に対して開放した状態では、容器本体内の粒状物が、進入通過口を通して定量ポケットに進入することが被覆壁により規制される。これにより、定量ポケット内の粒状物のみを取出し通過口を通して蓋体の取出し口から取り出すことができる。
そして、蓋体を装着キャップに対してキャップ軸回りに回転させる過程において、取出し口を通した取出し通過口の開放と、被覆壁による進入通過口の被覆と、が１つの定量ポケットに対して同時に行われるので、装着キャップおよび蓋体のキャップ軸回りの相対位置を調整することで、取出し通過口が取出し口により開放され、かつ進入通過口が被覆壁により覆われた定量ポケットの数を変更することが可能になり、取り出す粒状物の量を選択することができる。
これにより、粒状物が例えば、薬剤の場合は症状の軽重、若しくは服用者の年齢などに応じて、また、調味料の場合は作る料理の量、若しくは味付けなどに応じて、それぞれ、取り出す粒状物の量を一定量ずつ段階的に増減することができる。
【０００８】
ここで、前記取出し通過口、および前記進入通過口は、径方向に開口し、前記定量ポケットは、底壁部と、前記底壁部における径方向の外端部から上方に向けて突出した外壁部と、前記底壁部における径方向の内端部から上方に向けて突出した内壁部と、前記底壁部における周方向の両端部から上方に向けて突出した一対の側壁部と、により画成され、前記外壁部の上端縁は、前記取出し通過口の内周面の下端部を構成し、前記内壁部の上端縁は、前記進入通過口の内周面の下端部を構成し、前記外壁部の上端縁は、前記内壁部の上端縁より上方に位置してもよい。
【０００９】
この場合、定量ポケットにおける内壁部の上端縁が、外壁部の上端縁より下方に位置しているので、被覆壁が進入通過口から周方向に離間しているときに、容器本体内の粒状物を、進入通過口を径方向に通過させて定量ポケットに進入させやすくすることができる。
定量ポケットにおける外壁部の上端縁が、内壁部の上端縁より上方に位置しているので、定量ポケットに進入した粒状物を、取出し通過口に進入させにくくすることが可能になり、定量ポケットに規定量以上の粒状物が進入するのを防ぐことができる。
【００１０】
また、前記蓋体の内面には、前記取出し通過口が前記取出し口を通して外部に開放され、かつ前記進入通過口が前記被覆壁により覆われた前記定量ポケットが、前記蓋体の前記装着キャップに対するキャップ軸回りの回転移動の過程で増減する毎に、前記装着キャップに形成された係止部に対して、周方向に乗り越え可能に係止される被係止部が形成されてもよい。
【００１１】
この場合、蓋体の内面に、装着キャップに形成された係止部に対して、周方向に乗り越え可能に係止される被係止部が形成されているので、蓋体の装着キャップに対するキャップ軸回りの回転移動の過程で、取出し通過口が取出し口を通して外部に開放され、かつ進入通過口が被覆壁により覆われた定量ポケットが増減することを、使用者に認識させること可能になり、操作性を向上させることができる。
【発明の効果】
【００１２】
本発明によれば、取り出す粒状物の量を一定量ずつ段階的に増減することができる。
【図面の簡単な説明】
【００１３】
【図１】本発明の一実施形態に係る粒状物用計量キャップの縦断面図である。
【図２】図１のＩＩ−ＩＩ線矢視断面図である。
【図３】図１および図２に示す装着キャップの斜視図である。
【図４】本発明の一実施形態に係る粒状物用計量キャップの倒立状態を示す縦断面図である。
【図５】本発明の一実施形態に係る粒状物用計量キャップにおいて、取出し通過口を開放して内容物を取り出す状態を示す縦断面図である。
【図６】図５に示す粒状物用計量キャップのＶＩ−ＶＩ線矢視断面図である。
【発明を実施するための形態】
【００１４】
以下、図１から図６を参照し、本発明の一実施形態に係る粒状物用計量キャップを説明する。
粒状物用計量キャップ１は、粒状物Ｗが収容された容器本体Ｗ１の口部Ｗ２に装着され、装着キャップ１１および蓋体１２を備える。
粒状物Ｗとしては、例えば、薬剤、若しくは食品などが挙げられる。図示の例では、粒状物Ｗは円板状に形成されている。なお、粒状物Ｗは、円板状に限らず例えば球状にするなど適宜変更してもよい。
【００１５】
装着キャップ１１は筒状に形成され、蓋体１２は有頂筒状に形成されている。装着キャップ１１および蓋体１２は、共通軸と同軸に配設されている。
以下、この共通軸をキャップ軸Ｏといい、キャップ軸Ｏ方向から見て、キャップ軸Ｏに交差する方向を径方向といい、キャップ軸Ｏ回りに周回する方向を周方向という。
【００１６】
図１、および図３に示されるように、装着キャップ１１は、装着筒１３および本体筒１４を備える。
装着筒１３は、口部Ｗ２に装着されている。装着筒１３の内周面に、口部Ｗ２の外周面に形成された雄ねじ部に螺着される雌ねじ部が形成されている。
本体筒１４は、装着筒１３より小径に形成され、下端部が口部Ｗ２内に嵌合されている。本体筒１４は、口部Ｗ２から上方に突出している。
【００１７】
装着キャップ１１に、一定量の粒状物Ｗが配置される定量ポケット１５ａ、１５ｂが、周方向に沿って複数配設されている。
定量ポケット１５ａ、１５ｂは、図２および図３に示されるように、装着キャップ１１に、キャップ軸Ｏを中心にほぼ１８０°の角度範囲にわたって３つ配設されている。各定量ポケット１５ａ、１５ｂは、１つの粒状物Ｗが配置される大きさに形成されている。なお、各定量ポケット１５ａ、１５ｂは、複数の粒状物Ｗが配置される大きさに形成されてもよい。
【００１８】
定量ポケット１５ａ、１５ｂは、蓋体１２の内面に向けて開口する取出し通過口１６と、装着キャップ１１の内側に向けて開口する進入通過口１７と、を備える。取出し通過口１６、および進入通過口１７は、径方向に開口し、取出し通過口１６は、定量ポケット１５ａ、１５ｂにおける径方向の外端に位置し、進入通過口１７は、定量ポケット１５ａ、１５ｂにおける径方向の内端に位置している。
なお例えば、取出し通過口１６は上方に向けて開口してもよく、進入通過口１７は下方に向けて開口してもよい。
【００１９】
図１から図３に示されるように、定量ポケット１５ａ、１５ｂは、底壁部２１と、底壁部２１における径方向の外端部から上方に向けて突出した外壁部２２と、底壁部２１における径方向の内端部から上方に向けて突出した内壁部２３と、底壁部２１における周方向の両端部から上方に向けて突出した一対の側壁部２４と、により画成されている。
【００２０】
取出し通過口１６は、本体筒１４の周壁に形成された径方向の貫通孔となっている。取出し通過口１６は、本体筒１４の上端開口縁にも開口している。
底壁部２１は、本体筒１４の内周面において、取出し通過口１６の直下に位置する部分から径方向の内側に向けて突出している。
【００２１】
外壁部２２は、本体筒１４の周壁のうち、取出し通過口１６と底壁部２１との間に位置する部分となっている。外壁部２２の上端縁は、取出し通過口１６の内周面における下端部を構成している。外壁部２２の上端縁は、径方向の内側に向かうに従い漸次、下方に向けて延びている。外壁部２２は、底壁部２１における全周にわたって配設されている。
【００２２】
内壁部２３は、底壁部２１から上方に向かうに従い漸次、径方向の内側に向けて延びている。内壁部２３の上端縁は、進入通過口１７の内周面の下端部を構成している。内壁部２３の上端縁における径方向の内端部は、径方向の内側に向けて突の曲面状に形成されている。内壁部２３は、底壁部２１における全周にわたって配設されている。内壁部２３の上端縁は、外壁部２２の上端縁より下方に位置している。
【００２３】
側壁部２４は、底壁部２１における径方向の全域にわたって配設され、外壁部２２と内壁部２３とを径方向に連結している。側壁部２４の上端縁、および本体筒１４の上端開口縁それぞれのキャップ軸Ｏ方向の位置は、互いに同等になっている。側壁部２４の径方向の内端部は、進入通過口１７の内周面における周方向の両端部を構成している。側壁部２４の表面のうち、周方向を向き、定量ポケット１５ａ、１５ｂを画成する表面は、キャップ軸Ｏ方向から見て直線状に延びている。１つの定量ポケット１５ａ、１５ｂを画成する、周方向で互いに対向する側壁部２４の表面同士は、キャップ軸Ｏ方向から見てほぼ平行になっている。
【００２４】
複数の定量ポケット１５ａ、１５ｂは、キャップ軸Ｏ方向から見て、ほぼ同じ方向に延びている。
以下、３つの定量ポケット１５ａ、１５ｂのうち、周方向の中央部に位置する定量ポケットを、内側ポケット１５ａといい、周方向の両端に位置する２つの定量ポケットを、外側ポケット１５ｂという。
内側ポケット１５ａは、キャップ軸Ｏ方向から見て径方向に延びている。
【００２５】
蓋体１２は、装着キャップ１１の上端開口を閉塞し、装着キャップ１１にキャップ軸Ｏ回りに回転可能に外装されている。蓋体１２は、装着キャップ１１に上方に向けた移動が規制された状態で装着されている。蓋体１２は、本体筒１４を全域にわたって覆っている。
蓋体１２に、複数の定量ポケット１５ａ、１５ｂの取出し通過口１６を一体に開放可能な取出し口２５が形成されている。
【００２６】
取出し口２５は、蓋体１２の周壁部に１つ形成されている。取出し口２５は、蓋体１２に、キャップ軸Ｏを中心にほぼ１８０°の角度範囲にわたって１つ配設されている。取出し口２５の周方向の大きさは、装着キャップ１１において、複数の定量ポケット１５ａ、１５ｂが配設されている部分の周方向の大きさと同等になっている。取出し口２５の内周面の下端部、および取出し通過口１６の内周面の下端部それぞれのキャップ軸Ｏ方向の位置は互いに同等になっている。取出し口２５は、蓋体１２の頂壁部における外周縁部にも開口している。
【００２７】
蓋体１２の頂壁部に、装着キャップ１１の内側に向けて突出した被覆壁２６が形成されている。被覆壁２６は、頂壁部から下方に向けて突出し、キャップ軸Ｏと同軸に配置された半割の円筒状に形成されている。被覆壁２６の周方向の両端部は、周方向の外側に向かうに従い漸次、下方に向けた突出量が低くなっている。被覆壁２６の下端縁は、外壁部２２の上端縁より上方に位置している。
なお、被覆壁２６は、例えば平板状に形成するなど適宜変更してもよい。被覆壁２６の下端縁は、外壁部２２の上端縁より下方に位置してもよいし、被覆壁２６の下端縁、および外壁部２２の上端縁それぞれのキャップ軸Ｏ方向の位置を互いに同等にしてもよい。
【００２８】
図１、図２、および図４に示されるように、蓋体１２の取出し口２５が、複数の取出し通過口１６から周方向に離間して、蓋体１２が、複数の取出し通過口１６を閉塞した状態で、被覆壁２６は、複数の進入通過口１７から周方向に離間して、複数の進入通過口１７が開放されている。
【００２９】
この状態で、被覆壁２６と進入通過口１７との間に、粒状物Ｗが進入可能な隙間が設けられる。キャップ軸Ｏ方向から見て、半割の円筒状に形成された被覆壁２６の内周面は、定量ポケット１５ａ、１５ｂ側を向いている。被覆壁２６の周方向の中央部と、内側ポケット１５ａの周方向の中央部と、が径方向で対向している。キャップ軸Ｏ方向から見て、被覆壁２６の周方向の両端部は、内側ポケット１５ａを画成する一対の側壁部２４の径方向の内端部に対して、隙間を設けた状態で径方向に対向している。キャップ軸Ｏ方向から見て、これらの側壁部２４の径方向の内端部と、被覆壁２６の周方向の端部と、の間の径方向の隙間は、粒状物Ｗの直径より小さくなっている。進入通過孔１７と被覆壁２６との間に、粒状物Ｗが１つだけ通過可能な隙間が設けられている。
【００３０】
図５、および図６に示されるように、被覆壁２６は、複数の取出し通過口１６が、取出し口２５を通して外部に開放された状態で、複数の進入通過口１７を覆う。
【００３１】
この状態で、粒状物Ｗは、被覆壁２６により複数の進入通過口１７を径方向に通過不能になる。キャップ軸Ｏ方向から見て、半割の円筒状に形成された被覆壁２６の外周面は、定量ポケット１５ａ、１５ｂ側を向いている。被覆壁２６の周方向の中央部と、内側ポケット１５ａの周方向の中央部と、が径方向で対向している。内側ポケット１５ａを画成する一対の側壁部２４の径方向の内端部は、被覆壁２６の外周面に当接、若しくは近接している。被覆壁２６は、内側ポケット１５ａの進入通過口１７を全周にわたって覆い、外側ポケット１５ｂの進入通過口１７のうちの周方向の内側部分を覆っている。被覆壁２６の周方向の中央部、および内側ポケット１５ａを画成する内壁部２３それぞれの径方向の位置が互いに同等になっており、被覆壁２６の周方向の中央部と、内側ポケット１５ａを画成する内壁部２３の上端縁と、がキャップ軸Ｏ方向で対向している。
【００３２】
蓋体１２の内面には、取出し通過口１６が取出し口２５を通して外部に開放され、かつ進入通過口１７が被覆壁２６により覆われた定量ポケット１５ａ、１５ｂが、蓋体１２の装着キャップ１１に対するキャップ軸Ｏ回りの回転移動の過程で増減する毎に、装着キャップ１１に形成された係止部３１に対して、周方向に乗り越え可能に係止される被係止部３２が形成されている。
【００３３】
係止部３１は、装着キャップ１１の本体筒１４の外周面に形成された第１突部３１ａ、第２突部３１ｂ、および第３突部３１ｃを備えている。第１突部３１ａ、第２突部３１ｂ、および第３突部３１ｃは、本体筒１４の外周面のうち、複数の取出し通過口１６から周方向に離れた部分に、周方向に間隔をあけて配置されている。
被係止部３２は、蓋体１２の周壁部の内周面に形成された第４突部３２ａ、および第５突部３２ｂを備えている。第４突部３２ａ、および第５突部３２ｂは、蓋体１２の周壁部の内周面のうち、取出し口２５から周方向に離れた部分に、周方向に間隔をあけて配置されている。第４突部３２ａ、および第５突部３２ｂは、キャップ軸Ｏを中心に約１８０°離れて配置されている。
【００３４】
蓋体１２を、装着キャップ１１に対してキャップ軸Ｏ回りに一方向に回転させる過程において、蓋体１２における第４突部３２ａ、および第５突部３２ｂのうちのいずれか一方が、装着キャップ１１における第１突部３１ａ、第２突部３１ｂ、および第３突部３１ｃのうちのいずれか１つに当接して周方向に乗り越えるように構成されている。この過程において、第４突部３２ａ、および第５突部３２ｂのうちのいずれか一方が、第１突部３１ａ、第２突部３１ｂ、および第３突部３１ｃのうちのいずれか１つに順次当接する毎に、取出し通過口１６が取出し口２５を通して外部に開放され、かつ進入通過口１７が被覆壁２６により覆われた定量ポケット１５ａ、１５ｂが増減する。
またこの過程において、１つの定量ポケット１５ａ、１５ｂに対して、取出し口２５を通した取出し通過口１６の開放と、被覆壁２６による進入通過口１７の被覆と、が同時に行われるとともに、蓋体１２による取出し通過口１６の閉塞と、進入通過口１７の開放と、が同時に行われる。
【００３５】
以上説明したように、本実施形態による粒状物用計量キャップ１によれば、図２に示されるように、蓋体１２の取出し口２５が、装着キャップ１１における複数の取出し通過口１６から周方向に離間して、蓋体１２が、複数の取出し通過口１６を閉塞した状態で、蓋体１２の被覆壁２６が、装着キャップ１１における複数の進入通過口１７から周方向に離間して、複数の進入通過口１７が開放されるので、定量ポケット１５ａ、１５ｂを外部に対して閉塞した状態で、進入通過口１７が装着キャップ１１の内側に向けて開放されることとなる。この状態で、図４に示されるように、容器本体Ｗ１の口部Ｗ２を下方に向けると、容器本体Ｗ１内の粒状物Ｗが、取出し口２５から零れ落ちることなく、進入通過口１７から定量ポケット１５ａ、１５ｂに進入する。
【００３６】
次に、蓋体１２を装着キャップ１１に対してキャップ軸Ｏ回りに回転させ、図５および図６に示されるように、複数の取出し通過口１６を、取出し口２５を通して外部に開放したときに、被覆壁２６が、複数の進入通過口１７を覆うので、定量ポケット１５ａ、１５ｂを外部に対して開放した状態では、容器本体Ｗ１内の粒状物Ｗが、進入通過口１７を通して定量ポケット１５ａ、１５ｂに進入することが被覆壁２６により規制される。これにより、定量ポケット１５ａ、１５ｂ内の粒状物Ｗのみを取出し通過口１６を通して蓋体１２の取出し口２５から取り出すことができる。
【００３７】
そして、蓋体１２を装着キャップ１１に対してキャップ軸Ｏ回りに回転させる過程において、取出し口２５を通した取出し通過口１６の開放と、被覆壁２６による進入通過口１７の被覆と、が１つの定量ポケット１５ａ、１５ｂに対して同時に行われるので、装着キャップ１１および蓋体１２のキャップ軸Ｏ回りの相対位置を調整することで、取出し通過口１６が取出し口２５により開放され、かつ進入通過口１７が被覆壁２６により覆われた定量ポケット１５ａ、１５ｂの数を変更することが可能になり、取り出す粒状物Ｗの量を選択することができる。
これにより、粒状物Ｗが例えば、薬剤の場合は症状の軽重、若しくは服用者の年齢などに応じて、また、調味料の場合は作る料理の量、若しくは味付けなどに応じて、それぞれ、取り出す粒状物Ｗの量を一定量ずつ段階的に増減することができる。
【００３８】
定量ポケット１５ａ、１５ｂにおける内壁部２３の上端縁が、外壁部２２の上端縁より下方に位置しているので、被覆壁２６が進入通過口１７から周方向に離間しているときに、容器本体Ｗ１内の粒状物Ｗを、進入通過口１７を径方向に通過させて定量ポケット１５ａ、１５ｂに進入させやすくすることができる。
定量ポケット１５ａ、１５ｂにおける外壁部２２の上端縁が、内壁部２３の上端縁より上方に位置しているので、定量ポケット１５ａ、１５ｂに進入した粒状物Ｗを、取出し通過口１６に進入させにくくすることが可能になり、定量ポケット１５ａ、１５ｂに規定量以上の粒状物Ｗが進入するのを防ぐことができる。
【００３９】
蓋体１２の内面に、装着キャップ１１に形成された係止部３１に対して、周方向に乗り越え可能に係止される被係止部３２が形成されているので、蓋体１２の装着キャップ１１に対するキャップ軸Ｏ回りの回転移動の過程で、取出し通過口１６が取出し口２５を通して外部に開放され、かつ進入通過口１７が被覆壁２６により覆われた定量ポケット１５ａ、１５ｂが増減することを、使用者に認識させること可能になり、操作性を向上させることができる。
【００４０】
なお、本発明の技術的範囲は前記実施形態に限定されるものではなく、本発明の趣旨を逸脱しない範囲において種々の変更を加えることが可能である。
【００４１】
例えば前記実施形態では、複数の取出し通過口１６が、取出し口２５を通して外部に開放された状態で、被覆壁２６が、外側ポケット１５ｂの進入通過口１７のうちの周方向の内側部分を覆っている構成を示したが、被覆壁２６は、内側ポケット１５ａの進入通過口１７のみならず、外側ポケット１５ｂの進入通過口１７も全周にわたって覆ってもよい。
前記実施形態では、取出し口２５が、蓋体１２に１つ形成された構成を示したが、定量ポケット１５ａ、１５ｂの数量に合わせて複数形成されてもよい。
前記実施形態では、取出し口２５を蓋体１２の周壁部に形成したが、蓋体１２の頂壁部に形成してもよい。
各定量ポケット１５ａ、１５ｂに配置される粒状物Ｗの数量は、互いに同じでもよいし、異ならせてもよい。
【００４２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４３】
１  粒状物用計量キャップ
１１  装着キャップ
１２  蓋体
１５ａ、１５ｂ  定量ポケット
１６  取出し通過口
１７  進入通過口
２１  底壁部
２２  外壁部
２３  内壁部
２４  側壁部
２５  取出し口
２６  被覆壁
３１  係止部
３２  被係止部
Ｏ  キャップ軸
Ｗ  粒状物
Ｗ１  容器本体
Ｗ２  口部
【図１】
2020070059.tif 000003
【図２】
2020070059.tif 000004
【図３】
2020070059.tif 000005
【図４】
2020070059.tif 000006
【図５】
2020070059.tif 000007
【図６】
2020070059.tif 000008